(57)【特許請求の範囲】
【請求項１】
ホスト装置とデータ処理装置とを接続するシステムにおいて該ホスト装置と処理装置の間に介装され、これらの間でコマンド信号を送受するコマンド信号ラインおよびステータス信号を送受するステータス信号ラインを含むパラレルインターフェイス機能により信号の転送を行うインターフェイス装置であって、
待機状態となるアイドルモードと電源オフ状態となる電源オフモードと省エネルギ状態となる省エネルギモードとを含む複数のモードを備えた前記データ処理装置と前記ホスト装置との間で前記ステータス信号および前記コマンド信号をインターフェイスするとともに、前記コマンド信号ラインと前記ステータス信号ラインと駆動電源とを所定の経路で結合して前記ステータス信号ラインが、前記複数のモードに対応してそれぞれ所定のレベルを出力する状態になるように構成されるインターフェイス部と、
前記アイドルモード時には、前記ステータス信号ラインを予め定められた所定の信号レベルに保持するように前記インターフェイス部を制御し、前記電源オフモード時には、前記駆動電源をＯＦＦにして前記インターフェイス部を含む全ての電力の供給を停止させるように制御し、前記省エネルギモード時には、前記駆動電源をＯＦＦにして必要な手段のみへの電力を供給させるとともに、少なくとも一つの前記ステータス信号ラインを、前記アイドルモードと前記電源オフモードとは異なる信号レベルに保持するように前記インターフェイス部を制御する省エネルギモード制御回路とを備え、
前記ホスト装置が、前記コマンド信号ラインと前記ステータス信号ラインの状態に基づいて、前記アイドルモードと前記電源オフモードと前記省エネルギモードとを含む前記複数のモードを認識可能に構成し、
前記インターフェイス部は、前記電源オフモード時または前記省エネルギモード時にＨｉｇｈレベルとなるいずれかの前記ステータス信号ラインを、前記ホスト装置から転送されるＨｉｇｈレベルとなるいずれかの前記コマンド信号ラインの信号レベルを用いてＨｉｇｈレベルに保持するように構成されることを特徴とするインターフェイス装置。
【請求項２】
前記インターフェイス部は、前記電源オフモード時には、前記ホスト装置から前記コマンド信号ラインを介して転送される少なくともいずれか一つの前記コマンド信号に対応する信号レベルが、少なくともいずれか一つの前記ステータス信号ラインを介して前記ホスト装置に転送されるように構成されることを特徴とする請求項１に記載のインターフェイス装置。
【請求項３】
前記パラレルインターフェイス機能は、ＩＥＥＥ１２８４規格に準拠したものであることを特徴とする請求項１または２に記載のインターフェイス装置。
【請求項４】
前記インターフェイス部は、前記省エネルギモード時に、いずれかの前記ステータス信号ラインに、当該ステータス信号ラインを介して転送されるステータス信号と前記省エネルギモード時に生成され前記省エネルギモードの制御を行うための省エネルギモード制御信号との論理積に基づく信号レベルを出力するように構成されることを特徴とする請求項１乃至３のいずれかに記載のインターフェイス装置。
【発明の詳細な説明】
【０００１】
【発明の属する技術分野】
本発明は、省エネルギモードを備えるインターフェイス装置に関し、詳しくは、ホスト装置に装置状態を確実に通知することができるものに関する。
【０００２】
【従来の技術】
従来、プリンタ装置やスキャナ装置等のペリフェラル機器は、ホスト装置となるＰＣ（パーソナルコンピュータ）と同時に電源がＯＮ／ＯＦＦされる使い方がなされていたが、近年ではプリンタ機能・スキャナ機能・コピー機能・ファクシミリ機能などの複合機能を単一の筐体にまとめた入出力装置として、ホスト装置へのデータ転送機能とホスト装置からのデータ受信機能を併せ持ったＭＦＰ（Ｍｕｌｔｉｐｌｅ  Ｆｕｎｃｔｉｏｎ  Ｐｅｒｉｐｈｅｒａｌ）装置が存在する。このＭＦＰ装置は、ホスト装置の電源のＯＮ／ＯＦＦに拘らずにファクシミリ機能のため常に電源ＯＮされている状況で使用される。
【０００３】
そして、近時には、環境保護の視点から機器の待機時における電力消費量を低減するための勧告が各国の公的機関よりなされており、この待機時の消費電力削減における課題の一つがインターフェイスを介して接続された機器間のアクセス（動作要求）を検出可能な状態を維持したまま如何に電力消費を低いレベルに抑えるかということであった。
【０００４】
この課題を解消するために、例えば、特開平８−２２４９４４号公報には、電源遮断回路を備えて、ホスト装置の電源状態をストローブ信号の電位により判断して自動的に電源をＯＦＦするプリンタ装置が提案されている。また、これら装置間に介装されるインターフェイス装置自体でも、比較的高いドライブ能力を要求されるため消費電力も大きく待機中には電力供給を断つことが望ましい。このことから、インターフェイス装置においても、待機時にアクセス検出に必要な信号以外のレシーバ電源を落として電力消費を削減する試みも検討されている。
【０００５】
ここで、本発明は、ＭＦＰ装置に搭載してホスト装置との間に介装するインターフェイス装置に限るものではないが、以下にはＭＦＰ装置に搭載するものを一例に説明する。
【０００６】
【発明が解決しようとする課題】
このようなホスト装置とＭＦＰ装置との接続には、セントロニクスコネクタを利用したパラレルインターフェイスが一般的であり、このインターフェイス装置は、各々複数の、ホスト装置からの制御信号ライン（コマンド信号ライン）、ＭＦＰ装置からの応答信号ライン（ステータス信号ライン）およびデータ転送のためのデータ信号ライン（近年では双方向信号ラインとなっている）から構成されており、レシーバ端子側は通常電源ラインにプルアップされている。
【０００７】
このパラレルインターフェイスは、例えば、一般的には図８（ａ）〜図８（ｃ）に左側にドライバを、右側にレシーバを示すような入出力の等価回路に設計されており、詳細には説明しないが、図８（ａ）に示すものは、入出力パッファ（入出力素子）に保護、寄生ダイオードが電源ラインに対して存在する。この場合、機器の片側が電源ＯＦＦした時に電源供給されている機器側からこれらダイオードを経由して電圧漏洩がもう片方の機器に対して生じることを防ぐために入出力バッファの両方の電源ラインとの間にダイオードが挿入されている。
【０００８】
また、図８（ｂ）に示すものは、電源ラインへのダイオードが除去されるよう配置された入出力バッファを利用したケースであるが、一般的に挿入されるレシーバ側プルアップ抵抗を経由した電圧漏洩を防ぐためのダイオードが挿入されている。図８（ｃ）に示すものは、ドライバがオープンドレインであるためドライバ側に設けられたプルアップ抵抗にもダイオードが電源ラインに対して設けられている。
【０００９】
そして、図８（ｄ）に示すものは、双方向信号ラインの場合の入出力の等価回路を示している。
しかしながら、このような従来のパラレルインターフェイスにあっては、ＭＦＰ装置側のインターフェイス装置の電源をＯＦＦしたとき、ステータス信号ラインを介して図８（ａ）および図８（ｂ）の場合にはＨｉｇｈレベルのステータス信号をホスト装置は検出するが、図８（ｃ）の場合には双方のプルアップ抵抗値によってステータス信号の信号レベル（信号の極性ともいう）が変化していずれであるか定めることができない。
【００１０】
さらに、実際には図９に示すように、電圧漏洩防止ダイオードはインターフェイスの全ての信号ピンに対して共通に使用されることが一般的であるから、ホスト装置側の他の信号線の状態によって信号レベルは変化してしまい予測することができない。このとき、ホスト装置側からのコマンド信号に対するＭＦＰ装置のレスポンスによってそのＭＦＰ装置側が通常の待機状態に無いことを検出することは可能であるが、この処理はホスト装置の他の処理に対するパフォーマンスの無駄となるばかりでなく、従来のドライバに対して省エネルギ機能を持つＭＦＰ装置を接続した場合にはホスト装置でのドライバ動作に混乱をきたすという不具合も生じる。
【００１１】
そこで、本発明は、ホスト装置で通常の待機状態に無いことを容易に認識することができるようにして、そのホスト装置における無駄な処理や誤動作を発生させることのないインターフェイス装置を提供することを目的とする。
【００１２】
【課題を解決するための手段】
上記目的達成のため、請求項１に記載の発明は、ホスト装置とデータ処理装置とを接続するシステムにおいて該ホスト装置と処理装置の間に介装され、これらの間でコマンド信号を送受するコマンド信号ラインおよびステータス信号を送受するステータス信号ラインを含むパラレルインターフェイス機能により信号の転送を行うインターフェイス装置であって、
待機状態となるアイドルモードと電源オフ状態となる電源オフモードと省エネルギ状態となる省エネルギモードとを含む複数のモードを備えた前記データ処理装置と前記ホスト装置との間で前記ステータス信号および前記コマンド信号をインターフェイスするとともに、前記コマンド信号ラインと前記ステータス信号ラインと駆動電源とを所定の経路で結合して前記ステータス信号ラインが、前記複数のモードに対応してそれぞれ所定のレベルを出力する状態になるように構成されるインターフェイス部と、
前記アイドルモード時には、前記ステータス信号ラインを予め定められた所定の信号レベルに保持するように前記インターフェイス部を制御し、前記電源オフモード時には、前記駆動電源をＯＦＦにして前記インターフェイス部を含む全ての電力の供給を停止させるように制御し、前記省エネルギモード時には、前記駆動電源をＯＦＦにして必要な手段のみへの電力を供給させるとともに、少なくとも一つの前記ステータス信号ラインを、前記アイドルモードと前記電源オフモードとは異なる信号レベルに保持するように前記インターフェイス部を制御する省エネルギモード制御回路とを備え、
前記ホスト装置が、前記コマンド信号ラインと前記ステータス信号ラインの状態に基づいて、前記アイドルモードと前記電源オフモードと前記省エネルギモードとを含む前記複数のモードを認識可能に構成し、
前記インターフェイス部は、前記電源オフモード時または前記省エネルギモード時にＨｉｇｈレベルとなるいずれかの前記ステータス信号ラインを、前記ホスト装置から転送されるＨｉｇｈレベルとなるいずれかの前記コマンド信号ラインの信号レベルを用いてＨｉｇｈレベルに保持するように構成されることを特徴とするものである。
【００１３】
この請求項１に記載の発明では、ホスト装置と処理装置との間で信号のやりとりがない待機時に省エネルギモードに移行したときには、待機時と逆の信号レベル（例えば、ＨｉｇｈレベルまたはＬｏｗレベルの逆極性）に保持されたステータス信号がホスト装置に送られる。したがって、ホスト装置は待機する処理装置側から送られてくる定常時と異なるステータス信号により省エネルギモードに移行したことを認識することができる。なお、このとき、特殊な信号により省エネルギモードに移行したことをホスト装置に認識させるようにしてもよいが、信号レベルを代えるだけのステータス信号とすることによって、特別な制御によりコスト高になったり、信号処理が煩雑になることもない。
また、請求項１に記載の発明では、省エネルギモードに移行した装置状態でＨｉｇｈレベルに保持するステータス信号をホスト装置に送る必要がある場合には、待機時にホスト装置から送られてくるＨｉｇｈレベルのコマンド信号ラインの電力（コマンド信号）により該ステータス信号がＨｉｇｈレベルに保持される。したがって、省エネルギモードに移行したにも拘らずステータス信号をＨｉｇｈレベルに保持するために消費電力が大きくなってしまうことがない。
【００１４】
請求項２に記載の発明は、前記インターフェイス部は、前記電源オフモード時には、前記ホスト装置から前記コマンド信号ラインを介して転送される少なくともいずれか一つの前記コマンド信号に対応する信号レベルが、少なくともいずれか一つの前記ステータス信号ラインを介して前記ホスト装置に転送されるように構成されることを特徴とするものである。
【００１５】
この請求項２に記載の発明では、ＨｉｇｈレベルまたはＬｏｗレベルのコマンド信号やステータス信号をホスト装置との間でやりとりする場合に、回路構成などにより、ホスト装置から待機時や省エネルギモード時と異なるレベルの信号が電源ＯＦＦ時に送られてきたとき、その信号は判別可能にステータス信号ラインにそのまま迂回されて該ホスト装置に送られる。したがって、ホスト装置は処理装置側から送られてくる待機時や省エネルギモード時のステータス信号と異なる信号を受け取ったときには、これらと異なる電源ＯＦＦ状態であることを認識することができる。
【００１６】
請求項３に記載の発明は、前記パラレルインターフェイス機能は、ＩＥＥＥ１２８４規格に準拠したものであることを特徴とするものである。
【００１７】
請求項４に記載の発明は、前記インターフェイス部は、前記省エネルギモード時に、いずれかの前記ステータス信号ラインに、当該ステータス信号ラインを介して転送されるステータス信号と前記省エネルギモード時に生成され前記省エネルギモードの制御を行うための省エネルギモード制御信号との論理積に基づく信号レベルを出力するように構成されることを特徴とするものである。
【００１８】
【発明の実施の形態】
以下、本発明を図面に基づいて説明する。
図１〜図４は本発明に係るインターフェイス装置の第１実施形態を搭載するデータ処理装置の一例を示す図であり、本実施形態は請求項１に記載の発明に対応する。
【００１９】
図１において、10はホスト装置（ＰＣ）により利用可能な各種機能（複合機能）を備えるＭＦＰ装置（データ処理装置）であり、ＭＦＰ装置10は単一の筐体内に搭載するホストＩ／Ｆ（インターフェイス装置）100にホスト装置Ｈを接続され、このホストＩ／Ｆ100によりホスト装置Ｈへのデータ転送機能とホスト装置Ｈからのデータ受信機能が実現されている。
【００２０】
ＭＦＰ装置10は、制御ＣＰＵ11がＲＯＭ12内に格納されている制御プログラムに従ってＲＡＭ13内に動作する上で必要なデータを一時記憶させつつ装置各部を統括制御するようになっており、詳細には説明しないが、スキャナ制御部21およびスキャナ部22によるスキャナ機能、プリンタ制御部23およびプリンタ部24によるプリンタ機能（スキャナ機能・プリンタ機能によるコピー機能）、内蔵するモデムや網制御装置を備える通信制御部25によるファクシミリ機能を動作させ、複合機として機能する。なお、図１中、28は画像処理・符号化回路であり、この回路28は読み取った画情報の補正処理や送受信する画情報の符号化圧縮および復号化伸長を行う。また、29は不揮発性の書換可能な記憶素子であり、この記憶素子29はファクシミリ通信する相手先の名称や電話番号を記憶してワンタッチや短縮ダイヤルする際に利用される。また、24ａはプリンタ部24によりプリントアウトされた用紙が一定量以上スタックされたことを検出する排紙スタックセンサであり、このＭＦＰ装置10に配設されている各種センサの内の一つである。
【００２１】
このＭＦＰ装置10は、ホスト装置Ｈなどからの処理要求がない待機時間が一定時間経過したときに、省エネルギモード制御回路14が制御ＣＰＵ11などを含めて装置各部へのＰＳＵ（電源ユニット）からの電力供給を最低限に抑える省エネルギモードを実行（移行）するようになっており、この省エネルギモード時にはホスト装置Ｈからの処理要求、公衆回線を介するファクシミリ受信、ユーザによる操作制御部26および操作表示部27を介する入力操作などを最低限検知できるだけの装置状態にして何等かの要求を各装置部が検知したときに必要な機能を実行する部分に電力供給してその処理を行なうようになっている。
【００２２】
ホストＩ／Ｆ100は、ホスト装置ＨとＭＦＰ装置10本体との間を一般的なＩ／Ｆと同様にＩＥＥＥ１２８４規格に従うパラレルインターフェイスで接続するようになっており、一部省略しているが、該規格における各種信号やコネクタピンのパラレルポートの対応は図２に示す一覧表のようになり、待機時（所謂、制御信号（コマンド信号、ステータス信号）やデータ信号のやり取りが行われていないアイドルモード時）に、ホスト装置ＨからＭＦＰ装置10側に、またＭＦＰ装置10からホスト装置Ｈ側に各種信号ラインを介して送られる信号レベルの極性（Ｈｉｇｈ、Ｌｏｗ）は図３に示す一覧表のようになる。
【００２３】
そして、本実施形態のホストＩ／Ｆ100は、不図示の制御部がＭＦＰ装置10本体の省エネルギモード制御回路14から省エネルギモードに移行する出力を受け取った場合には、ＭＦＰ装置10のインターフェイスとして要求される高いドライブ能力のインタフェース部への電力供給を遮断（インターフェイス駆動電源ＯＦＦ）して省エネルギモードに移行するようになっており、このとき図４に示すように、待機時にはＨｉｇｈレベルのステータス信号としてＳｅｌｅｃｔ信号を送出するステータス信号ラインを介して逆極性のＬｏｗレベルとなる省エネモード制御信号をホスト装置Ｈに送出するように設定されている。この省エネモード制御信号は、Ｓｅｌｅｃｔ信号との論理積を取られてホスト装置Ｈに送出されるようになっており、定常時にはＨｉｇｈレベルに維持することにより通常のＳｅｌｅｃｔ信号をホスト装置Ｈに送ることができ、省エネルギモード中にはＬｏｗレベルに維持することにより定常時と逆極性のＬｏｗレベルのＳｅｌｅｃｔ信号（省エネモード制御信号）をホスト装置Ｈに送ることができる。
【００２４】
したがって、ホストＩ／Ｆ100は、省エネルギモード時には、コマンド信号ラインではＳｔｒｏｂｅ信号と、ステータ信号ラインではＳｅｌｅｃｔ信号の入出力素子のみに電源を投入して各々ホスト装置Ｈからのアクセス検知およびホスト装置Ｈへの非通常状態通知を行っており、Ｓｅｌｅｃｔ信号は定常状態ではＨｉｇｈレベルでＭＦＰ装置10がオンライン状態にあることを示す信号であるので、省エネルギモード時に強制的にＬｏｗレベルを維持することによって、ホスト装置Ｈ側ではＭＦＰ装置10側が待機モードにないことをコマンド−レスポンスを確認することなく判別（認識）することができる。
【００２５】
このように本実施形態においては、ホスト装置ＨはホストＩ／Ｆ100から送られてくるＳｅｌｅｃｔ信号のＨｉｇｈ／Ｌｏｗの信号レベルにより省エネルギモードに移行したか否かを容易に認識することができる。このため、ＭＦＰ装置10が省エネルギモードに移行してホストＩ／Ｆ100への電力供給が遮断されたためにホスト装置Ｈが検出するステータス信号が不定になることにより誤った装置状態と判断し（装置状態が判らないまま）処理要求などをして誤動作が発生してしまうことを未然に防止することができる。また、ＭＦＰ装置10側の装置状態を知るために所定のコマンド信号を送ってその応答を確認するなどの無駄な処理を行う必要がない。
【００２６】
なお、本実施形態では、Ｓｅｌｅｃｔ信号１つでＭＦＰ装置10の装置状態を判断しているが、他の信号と組み合せて段階的な省エネルギモードを認識することができるようにしてもよいことはいうまでもない。
次に、図５は本発明に係るインターフェイス装置の第２実施形態を搭載するデータ処理装置の一例を示す図であり、本実施形態は請求項２に記載の発明に対応する。なお、本実施形態は上述実施形態と略同様に構成されているので、図１〜図３を流用して同様な構成には同一の符号を付して特徴部分を説明する。
【００２７】
図５において、本実施形態のホストＩ／Ｆ100は、省エネルギモードに移行したことをＳｅｌｅｃｔ信号と省エネモード制御信号との論理積によりホスト装置Ｈに通知するのに併せて、省エネルギモードへ移行後に待機時と変わらずにあるいは待機時から変化させＨｉｇｈレベルに維持したいステータス信号がある場合、例えば、Ａｃｋ信号は待機時にホスト装置Ｈからコマンド信号ラインを介して送られてくる例えば、ＨｉｇｈレベルのＡｕｔｏＦｅｅｄ信号の電力を用いてその信号レベルをＨｉｇｈレベルを保持することができるようになっている。
【００２８】
具体的には、ホストＩ／Ｆ100は、コマンド信号のうちのＡｕｔｏＦｅｅｄ信号の入力ラインとステータス信号のうちのＡｃｋ信号の出力ラインがプロテクションダイオードを他の信号と独立して共有する回路構成となっており、少なくともホスト装置Ｈが定常動作して待機モードにあればＡｕｔｏＦｅｅｄ信号が迂回して（バイパス）してＨｉｇｈレベルに保持されたＡｃｋ信号としてホスト装置Ｈに送ることができる。なお、この回路構成では、ＡｕｔｏＦｅｅｄ信号のコマンド信号ラインとＡｃｋ信号のステータス信号ラインの間に制限抵抗Ｒｐを介装しており、この制限抵抗ＲｐはＩＥＥＥ１２８４規格で推奨される１ｋΩ以上としているために出入力インピーダンス（例えば、５０Ω程度）に対して高抵抗であることから、ＭＦＰ装置10およびホスト装置Ｈが定常動作する場合などでも問題が発生することはない。これは、以下で説明する第３実施形態においても同様である。
【００２９】
したがって、Ｈｉｇｈレベル出力でＰｕｓｈ／Ｐｕｌｌ型出力の場合は相手側のインピーダンスによって出力電流消費が決定されることから、プロテクションがなされていないホスト装置Ｈが接続され、省エネルギモードに移行したときにそのホスト装置Ｈが電源ＯＦＦの場合には、Ａｃｋ信号をＨｉｇｈレベルに維持しようとすると大量の電力消費を余儀なくされるが、待機状態のホスト装置ＨがＭＦＰ装置10側にコマンド信号ラインを介して送出するＨｉｇｈレベルのＡｕｔｏＦｅｅｄ信号をＨｉｇｈレベルのＡｃｋ信号としてホスト装置Ｈに送ることができ、省エネルギモードに移行したにも拘らずＡｃｋ信号をＨｉｇｈレベルに保持するために消費電力が大きくなってしまうことがない。なお、ホスト装置Ｈが電源ＯＦＦの場合にはＨｉｇｈレベルのＡｃｋ信号を送ることはできないが、ホスト装置Ｈが電源ＯＦＦされているので問題はない。
【００３０】
このように本実施形態においては、上述実施形態の作用効果に加えて、省エネルギモードに移行した後にＭＦＰ装置10側からホスト装置Ｈに送る特定のステータス信号をＨｉｇｈレベルに維持する必要な期間はそのホスト装置Ｈが待機状態でインタフェイスに電力供給している間のみに限られることから、待機状態のホスト装置10からＨｉｇｈレベルで送られてくるコマンド信号の電力により必要なステータス信号をＨｉｇｈレベルを保持することができ、ホスト装置Ｈが電源ＯＦＦであるために省エネルギモードに移行したＭＦＰ装置10が余分な電力消費を余儀なくされることがなく、ステータス信号をＨｉｇｈレベルに保持するための電力供給自体も遮断することができる。したがって、省エネルギモードの実効性を向上させることができる。
【００３１】
なお、本実施形態では、Ａｃｋ信号をＨｉｇｈレベルに保持する場合を説明するが、他のステータス信号も同様に省エネルギモード時にＨｉｇｈレベルに保持できるようにしてもよい。
また、省エネルギモード時にＨｉｇｈレベルに維持する必要のあるステータス信号以外でも、例えば、通常ＬｏｗレベルであるＢｕｓｙ信号やＰＥ（ペーパエンド）信号をもＨｉｇｈレベルにホスト装置Ｈのコマンド信号ラインの電力を利用して保持するようにすることにより、Ｓｅｌｅｃｔ信号の省エネルギモード制御信号との論理積に代えて、省エネルギモードに移行したことをホスト装置Ｈに通知できるようにすることもできる。
【００３２】
次に、図６および図７は本発明に係るインターフェイス装置の第３実施形態を搭載するデータ処理装置の一例を示す図であり、本実施形態は請求項３に記載の発明に対応する。なお、本実施形態は上述実施形態と略同様に構成されているので、図１〜図３を流用して同様な構成には同一の符号を付して特徴部分を説明する。
【００３３】
図６において、本実施形態のホストＩ／Ｆ100は、省エネルギモードに移行したことをＳｅｌｅｃｔ信号と省エネモード制御信号との論理積によりホスト装置Ｈに通知するとともに、省エネルギモードへ移行後の必要なステータス信号をホスト装置Ｈからのコマンド信号によりＨｉｇｈレベルに保持可能にするのと併せて、電源ＯＦＦ時にホスト装置Ｈから送られてきたコマンド信号をそのままの信号レベルでステータス信号ライン、例えば、Ａｃｋ信号およびＳｅｌｅｃｔ信号のステータス信号ラインに迂回させ返送することにより、待機状態になくさらに省エネルギモードでもない、すなわち、電源ＯＦＦ状態であることをホスト装置Ｈが認識（通知）可能になっている。
【００３４】
具体的には、ホストＩ／Ｆ100は、コマンド信号のうちのＡｕｔｏＦｅｅｄ信号の入力ラインとステータス信号のうちのＡｃｋ信号およびＳｅｌｅｃｔ信号の出力ラインがプロテクションダイオードを他の信号と独立して共有する回路構成となっており、ホスト装置Ｈは例えば、ＭＦＰ装置10からのＬｏｗレベルのＳｅｌｅｃｔ信号もなく（省エネルギモードでもなく）コマンドを送っても応答がない場合などに、ＨｉｇｈレベルのＡｕｔｏＦｅｅｄ信号に代えてＬｏｗレベルの信号をそのコマンド信号ラインを介してＭＦＰ装置10側に送ることにより、そのままＡｃｋ信号およびＳｅｌｅｃｔ信号のステータス信号ラインを迂回されて待機時と異なるＬｏｗレベルのＡｃｋ信号およびＳｅｌｅｃｔ信号を受け取ることができ、そのＭＦＰ装置10側が電源ＯＦＦ状態であることを確認することができる。
【００３５】
したがって、ＭＦＰ装置10からのステータス信号がなく、また電源ＯＦＦ時に入出力素子（バッファ）がハイインピーダンスで装置状態を確認することができない場合（ステータス信号不定）でも、ＡｕｔｏＦｅｅｄ信号に代えてＬｏｗレベルの信号をそのコマンド信号ラインを介してＭＦＰ装置10側に送ることにより、その信号がＡｃｋ信号およびＳｅｌｅｃｔ信号のステータス信号ラインを介してそのまま返送されてくる応答（レスポンス）があったときには、ＭＦＰ装置10は待機時でも省エネルギモードでもなく電源ＯＦＦ状態であることを判定・確認することができ、ステータス信号が不定で誤った装置状態と判定してしまうことがない。すなわち、ホスト装置ＨはＭＦＰ装置10の装置状態に応じて、図７の一覧表に示すステータス信号を受け取ることになる。
【００３６】
このように本実施形態においては、上述実施形態の作用効果に加えて、ホスト装置ＨがＡｕｔｏＦｅｅｄ信号に代えてＬｏｗレベルの信号をＭＦＰ装置10側に送るだけで、ステータス信号ラインを介するＬｏｗレベルのＡｃｋ信号およびＳｅｌｅｃｔ信号としてのその信号の返送の有無を確認するだけで、電源ＯＦＦを容易かつ迅速に認識することができ、ＭＦＰ装置10の装置状態を知るための無駄な処理を行ったり、装置状態を誤認して誤動作が発生してしまうこともない。
【００３７】
なお、本実施形態では、電源ＯＦＦ時にホスト装置ＨからのＡｕｔｏＦｅｅｄ信号をＡｃｋ信号およびＳｅｌｅｃｔ信号の双方をステータス信号ラインを介して返送するようにしているが、上述第２実施形態と同様な回路構成でもＡｃｋ信号を待機時や省エネルギモード時と異なる信号レベルとすることができるので、Ａｃｋ信号により電源ＯＦＦを判断するようにしてもよい。
【００３８】
【発明の効果】
請求項１に記載の発明によれば、省エネルギモードに移行したとき、待機時と例えば、逆極性（Ｈｉｇｈ／Ｌｏｗ）の信号レベルのステータス信号をホスト装置に送るので、ホスト装置は待機状態と異なるステータス信号により省エネルギモードに移行したことを容易に認識することができ、装置状態を知るための無駄な処理を行う必要がなく、装置状態が判らないために誤動作が発生してしまうことがない。したがって、ホスト装置に負担を掛けたり動作に混乱を生じさせることのない最適に接続可能なインターフェイス装置とすることができる。
【００３９】
請求項２に記載の発明によれば、省エネルギモード状態ではホスト装置から送られてくるＨｉｇｈレベルのコマンド信号ラインの電力（コマンド信号）により必要なステータス信号をＨｉｇｈレベルに保持するので、ステータス信号をＨｉｇｈレベルに保持するための消費電力が大きくなってしまうことがなく、省エネルギモードの実効性を向上させたインターフェイス装置とすることができる。
【００４０】
請求項３に記載の発明によれば、電源ＯＦＦ時にはホスト装置からの待機時や省エネルギモード時と異なるレベルの信号を判別可能にステータス信号ラインに迂回させてそのホスト装置にそのまま送るので、ホスト装置は待機時や省エネルギモード時以外の装置状態であるときにその信号の送受により電源ＯＦＦ状態であることを認識することができ、その装置状態を知るための無駄な処理を行う必要がなく、装置状態が判らないために誤動作が発生してしまうことがない。したがって、電源ＯＦＦ状態にホスト装置に負担を掛けたり動作に混乱を生じさせることのない最適に接続可能なインターフェイス装置とすることができる。
【図面の簡単な説明】
【図１】本発明に係るインターフェイス装置の第１実施形態を搭載するデータ処理装置の一例を示す図であり、その概略全体構成を示すブロック図である。
【図２】その処理装置が用いる信号を示す一覧表である。
【図３】その処理装置が用いる信号のレベルを示す一覧表である。
【図４】その要部の回路構成を示すブロック図である。
【図５】本発明に係るインターフェイス装置の第２実施形態を搭載するデータ処理装置の一例を示す図であり、その要部の回路構成を示すブロック図である。
【図６】本発明に係るインターフェイス装置の第３実施形態を搭載するデータ処理装置の一例を示す図であり、その要部の回路構成を示すブロック図である。
【図７】その要部による信号のレベルの変化を示す一覧表である。
【図８】その従来のインターフェース装置の回路構成を示すブロック図である。
【図９】その課題を説明するための回路構成を示すブロックである。
【符号の説明】
10    ＭＦＰ装置（データ処理装置）
11    制御ＣＰＵ
12    ＲＯＭ
13    ＲＡＭ
14    省エネルギモード制御回路
100    ホストＩ／Ｆ（インターフェイス装置）
Ｈ    ホスト装置
【図１】
0003676077.tif 000002
【図２】
0003676077.tif 000003
【図３】
0003676077.tif 000004
【図４】
0003676077.tif 000005
【図５】
0003676077.tif 000006
【図６】
0003676077.tif 000007
【図７】
0003676077.tif 000008
【図８】
0003676077.tif 000009
【図９】
0003676077.tif 000010